【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
操作手段と、
複数の表示を表示可能な表示手段と、
を備えた遊技台であって、
前記操作手段の操作を受付可能な複数の状態のうちの一の状態は、第一の状態であり、
前記操作手段の操作を受付可能な複数の状態のうちの一の状態は、第二の状態であり、
前記第一の状態と前記第二の状態は、別の状態であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第三の表示の表示態様と前記第四の表示の表示態様は、別の表示態様であり、
前記第一の状態において前記第三の表示を表示可能であり、
前記第二の状態において前記第四の表示を表示可能であり、
前記第一の表示は、或る予告表示であり、
前記第二の表示は、或る予告表示であり、
前記第三の表示は、遊技者に前記操作手段を連打することを促す表示であり、
前記第四の表示は、複数のボタン画像を含む表示であり、
前記第三の表示の表示が開始された後、前記操作手段が複数回操作されると、前記第一の表示の表示が開始される場合があり、
前記第三の表示の表示が開始された後、前記操作手段が長押しで１回操作されたことのみで、前記第一の表示の表示が開始される場合があり、
前記第四の表示の表示が開始された後、前記操作手段が複数回操作されると、前記第二の表示の表示が開始される場合があり、
前記第四の表示の表示が開始された後、前記操作手段が長押しで１回操作されたことのみでは、前記第二の表示の表示が開始されることはない、
ことを特徴とする遊技台。
【請求項２】
請求項１に記載の遊技台であって、
前記複数の表示のうちの一の表示は、第五の表示であり、
前記複数の表示のうちの一の表示は、第六の表示であり、
前記第五の表示は、前記操作手段の外観を表す画像（以下、「第一の画像」という。）を含む表示であり、
前記第六の表示は、前記第一の画像とは別の、前記操作手段の外観を表す画像（以下、「第二の画像」という。）を含む表示であり、
前記第六の表示は、メーターの画像（以下、「第三の画像」という。）を含む表示であり、
前記第一の画像の表示サイズよりも前記第二の画像の表示サイズの方が大きい表示サイズであり、
前記第六の表示は、前記第二の画像の一部分が前記第三の画像によってオーバーラップされている表示であり、
前記第五の表示は、前記第一の画像がメーターの画像によってオーバーラップされない表示である、
ことを特徴とする遊技台。
【請求項３】
請求項１または請求項２に記載の遊技台であって、
前記表示手段は、複数種類の演出表示を表示可能な手段であり、
前記複数種類の演出表示のうちの一の演出表示は、オートボタンモードの非設定中に前記操作手段が操作された場合に、表示可能な演出表示（以下、「第一の演出表示」という。）であり、
前記複数種類の演出表示のうちの一の演出表示は、前記第一の演出表示とは異なる演出表示（以下、「第二の演出表示」という。）であり、
前記第二の演出表示は、前記オートボタンモードの非設定中に前記操作手段が操作された場合に、表示可能な演出表示であり、
前記第一の演出表示は、前記オートボタンモードの設定中に前記操作手段が操作されない場合であっても、表示可能な演出表示であり、
前記第二の演出表示は、前記オートボタンモードの設定中に前記操作手段が操作されない場合に、表示されない演出表示である、
ことを特徴とする遊技台。
【請求項４】
請求項３に記載の遊技台であって、
前記第二の演出表示は、或る状態において、前記オートボタンモードの非設定中に前記操作手段が操作された場合に、表示可能な演出表示である、
ことを特徴とする遊技台。
【請求項５】
請求項３または請求項４に記載の遊技台であって、
前記第二の演出表示は、或る状態において、前記オートボタンモードの設定中に前記操作手段が操作されない場合に、表示されない演出表示である、
ことを特徴とする遊技台。
【請求項６】
請求項１乃至請求項５のいずれか一項に記載の遊技台であって、
前記第三の表示は、連打の文字を含む表示である、
ことを特徴とする遊技台。
【請求項７】
請求項１乃至請求項６のうちいずれか一項に記載の遊技台であって、
前記第一の状態において前記操作手段が長押しで操作された場合に、前記操作手段が複数回操作されたものとして前記第一の表示の表示が開始される場合がある、
ことを特徴とする遊技台。
【請求項８】
請求項１乃至請求項７のうちいずれか一項に記載の遊技台であって、
前記複数の表示のうちの一つは、第一の残時間表示であり、
前記第一の残時間表示は、前記第一の状態が終了するまでの残り時間の表示である、
ことを特徴とする遊技台。
【請求項９】
請求項１乃至請求項８のうちいずれか一項に記載の遊技台であって、
前記複数の表示のうちの一つは、第二の残時間表示であり、
前記第二の残時間表示は、前記第二の状態が終了するまでの残り時間の表示である、
ことを特徴とする遊技台。
【請求項１０】
請求項１乃至請求項９のいずれか一項に記載の遊技台であって、
前記遊技台は、ぱちんこ機である、
ことを特徴とする遊技台。
【請求項１１】
請求項１乃至請求項９のいずれか一項に記載の遊技台であって、
前記遊技台は、スロットマシンである、
ことを特徴とする遊技台。
【手続補正２】
【補正対象書類名】明細書
【補正対象項目名】０００５
【補正方法】変更
【補正の内容】
【０００５】
本発明に係る遊技台は、操作手段と、複数の表示を表示可能な表示手段と、を備えた遊技台であって、前記操作手段の操作を受付可能な複数の状態のうちの一の状態は、第一の状態であり、前記操作手段の操作を受付可能な複数の状態のうちの一の状態は、第二の状態であり、前記第一の状態と前記第二の状態は、別の状態であり、前記複数の表示のうちの一の表示は、第一の表示であり、前記複数の表示のうちの一の表示は、第二の表示であり、前記複数の表示のうちの一の表示は、第三の表示であり、前記複数の表示のうちの一の表示は、第四の表示であり、前記第三の表示の表示態様と前記第四の表示の表示態様は、別の表示態様であり、前記第一の状態において前記第三の表示を表示可能であり、前記第二の状態において前記第四の表示を表示可能であり、前記第一の表示は、或る予告表示であり、前記第二の表示は、或る予告表示であり、前記第三の表示は、遊技者に前記操作手段を連打することを促す表示であり、前記第四の表示は、複数のボタン画像を含む表示であり、前記第三の表示の表示が開始された後、前記操作手段が複数回操作されると、前記第一の表示の表示が開始される場合があり、前記第三の表示の表示が開始された後、前記操作手段が長押しで１回操作されたことのみで、前記第一の表示の表示が開始される場合があり、前記第四の表示の表示が開始された後、前記操作手段が複数回操作されると、前記第二の表示の表示が開始される場合があり、前記第四の表示の表示が開始された後、前記操作手段が長押しで１回操作されたことのみでは、前記第二の表示の表示が開始されることはない、ことを特徴とする遊技台である。
【手続補正３】
【補正対象書類名】明細書
【補正対象項目名】７６６２
【補正方法】変更
【補正の内容】
【７６６２】
また、前記第一の状態は、前記オートボタンモードの設定中に含まれる状態であり、前記第二の状態は、前記オートボタンモードの設定中に含まれる状態であってもよい。
また、前記遊技台は、ぱちんこ機またはスロットマシンであってもよい。
また、本発明にかかる遊技台（例えば、ぱちんこ機１００）は、操作手段と、複数の表示を表示可能な表示手段と、を備えた遊技台であって、前記操作手段の操作を受付可能な複数の状態のうちの一の状態は、第一の状態（操作手段の操作を受け付ける状態であり、操作手段が操作された場合に予告表示が開始される状態（例えば、図５３２、図５３３に示すリーチ演出後の状態））であり、前記操作手段の操作を受付可能な複数の状態のうちの一の状態は、第二の状態（操作手段の操作を受け付ける状態であり、操作手段が操作された場合に予告表示が開始される場合（例えば、図５２５に示す装飾図柄変動中の状態））であり、前記第一の状態と前記第二の状態は、別の状態であり、前記複数の表示のうちの一の表示は、第一の表示（例えば、図５３２、図５３３に示すリーチ演出における予告演出の表示）であり、前記複数の表示のうちの一の表示は、第二の表示（例えば、図５２５（ｋ）に示す第二のカットイン画像ＣＩ２や、同図（ｐ）に示す第三のカットイン画像ＣＩ３）であり、前記複数の表示のうちの一の表示は、第三の表示（例えば、図５３２（ｄ）、図５３３（ｄ）に示す演出ボタン画像ＢＴを含む表示）であり、前記複数の表示のうちの一の表示は、第四の表示（例えば、図５２５（ｃ）、同図（ｈ）に示す演出ボタン画像ＢＴ１、ＢＴ２を含む表示）であり、前記第三の表示の表示態様と前記第四の表示の表示態様は、別の表示態様であり、前記第一の状態において前記第三の表示を表示可能であり、前記第二の状態において前記第四の表示を表示可能であり、前記第一の表示は、或る予告表示であり、前記第二の表示は、或る予告表示であり、前記第三の表示は、遊技者に前記操作手段を連打することを促す表示であり、前記第四の表示は、複数のボタン画像を含む表示であり、前記第三の表示の表示が開始された後、前記操作手段が複数回操作されると、前記第一の表示の表示が開始される場合（例えば、図５３２に示されるように、演出ボタン１３６ｅによる複数回の操作（連打操作）が行われると連打メーターＲＤのゲージが満タンとなって予告表示が行われる場合）があり、前記第三の表示の表示が開始された後、前記操作手段が長押しで１回操作されたことのみで、前記第一の表示の表示が開始される場合（例えば、図５３３に示されるように、演出ボタン１３６ｅを長押しすると（長押しオート連打有効）連打メーターＲＤのゲージが満タンとなって予告表示が行われる場合）があり、前記第四の表示の表示が開始された後、前記操作手段が複数回操作されると、前記第二の表示の表示が開始される場合（例えば、図５２５に示すように、長押しオート連打機能が無効な状態とされているカットイン演出において、演出ボタン１３６ｅが複数回操作されると、図５２５（ｐ）に示す第三のカットイン画像ＣＩ３が表示される場合）があり、前記第四の表示の表示が開始された後、前記操作手段が長押しで１回操作されたことのみでは、前記第二の表示の表示が開始されることはない（例えば、図５２５に示すように、長押しオート連打機能が無効な状態とされているカットイン演出において、図５２５（ｐ）に示す第三のカットイン画像ＣＩ３は、演出ボタン１３６ｅによる１回の長押し操作では表示されず、演出ボタン１３６ｅが３回操作されないと表示されない）、ことを特徴とする遊技台である。
また、前記複数の表示のうちの一の表示は、第五の表示（例えば、図２６４（ａ）に示す表示）であり、前記複数の表示のうちの一の表示は、第六の表示（例えば、図２６４（ｄ）に示す表示）であり、前記第五の表示は、前記操作手段の外観を表す画像（以下、「第一の画像（例えば、図２６４（ａ）に示す操作手段画像ＢＧｓ）」という。）を含む表示であり、前記第六の表示は、前記第一の画像とは別の、前記操作手段の外観を表す画像（以下、「第二の画像（例えば、図２６４（ｄ）に示す操作手段画像ＢＧｂ）」という。）を含む表示であり、前記第六の表示は、メーターの画像（以下、「第三の画像（例えば、図２６４（ｄ）に示す有効時間報知画像ＴＧｂ）」という。）を含む表示であり、前記第一の画像の表示サイズよりも前記第二の画像の表示サイズの方が大きい表示サイズであり、前記第六の表示は、前記第二の画像の一部分が前記第三の画像によってオーバーラップされている表示であり、前記第五の表示は、前記第一の画像がメーターの画像によってオーバーラップされない表示である、ものであってもよい。
また、前記表示手段は、複数種類の演出表示を表示可能な手段であり、前記複数種類の演出表示のうちの一の演出表示は、オートボタンモードの非設定中に前記操作手段が操作された場合に、表示可能な演出表示（以下、「第一の演出表示（例えば、図２７２（ａ−６）や同図（ｂ−６）などに示す「特別演出」の表示）」という。）であり、前記複数種類の演出表示のうちの一の演出表示は、前記第一の演出表示とは異なる演出表示（以下、「第二の演出表示（例えば、選択可能なキャラクタを変更するアニメーション）」という。）であり、前記第二の演出表示は、前記オートボタンモードの非設定中に前記操作手段が操作された場合に、表示可能な演出表示であり、前記第一の演出表示は、前記オートボタンモードの設定中に前記操作手段が操作されない場合であっても、表示可能な演出表示であり、前記第二の演出表示は、前記オートボタンモードの設定中に前記操作手段が操作されない場合に、表示されない演出表示であってもよい。
また、前記第二の演出表示は、或る状態（例えば、複数の選択肢のうちの第一の選択肢にカーソルがある状態）において、前記オートボタンモードの非設定中に前記操作手段が操作された場合に、表示可能な演出表示であってもよい。
また、前記第二の演出表示は、或る状態（例えば、複数の選択肢のうちの第一の選択肢にカーソルがある状態）において、前記オートボタンモードの設定中に前記操作手段が操作されない場合に、表示されない演出表示であってもよい。
また、前記第三の表示は、連打の文字を含む表示であってもよい。
また、前記第一の状態において前記操作手段が長押しで操作された場合に、前記操作手段が複数回操作されたものとして前記第一の表示の表示が開始される場合があってもよい。
また、前記複数の表示のうちの一つは、第一の残時間表示であり、前記第一の残時間表示は、前記第一の状態が終了するまでの残り時間の表示であってもよい。
また、前記複数の表示のうちの一つは、第二の残時間表示であり、前記第二の残時間表示は、前記第二の状態が終了するまでの残り時間の表示であってもよい。
また、前記遊技台は、ぱちんこ機であってもよい。
また、前記遊技台は、スロットマシンであってもよい。